(57)【特許請求の範囲】
【請求項１】
複数枚の羽根板で風車を形成して支軸に回転自在に支持すると共に、羽根板に瞬発的に光を発する発光体を取り付けたことを特徴とする鳥類飛来防止装置。
【請求項２】
発光体は、１枚の羽根板に複数個取り付けたものである請求項１記載の鳥類飛来防止装置。
【請求項３】
各羽根板にさらに磁石を取り付けた請求項１または請求項２に記載の鳥類飛来防止装置。
【請求項４】
支軸を支持杆で首振り回転自在に支承した請求項１から請求項３のいずれか１項に記載の鳥類飛来防止装置。
【請求項５】
支軸に発電機と制御回路からなる発電部を取り付け、風車の回転で発電して発光体を発光するようにした請求項１から請求項４のいずれか１項に記載の鳥類飛来防止装置。
【発明の詳細な説明】
【０００１】
【発明の属する技術分野】
この発明は、住宅、工場や田畑などにハトやカラスなどの鳥類が飛来、接近することを回避し、これら鳥類による被害を防止するための鳥類飛来防止装置に関するものである。
【０００２】
【従来の技術】
従来から、水田や田畑等におけるすずめ、カラス等の食害や、住宅、工場等における糞害が問題となっている。特に鳥の糞便は、屋根やベランダを汚損するほか、各種病原菌を媒介したり、乾燥した糞便の微粉末が飛散して呼吸器疾患の要因ともなっている。これら鳥類の接近を回避し、種々の害を防止するため、各種の鳥類飛来防止装置が提案されている。
【０００３】
例えば、人間の姿や天敵である鷲、鷹の姿を模した人形を用いるもの、声や爆発音を間欠的に発するもの、鳥類が忌避する光や超音波、磁気を発するもの等がある。
【０００４】
これらは、人間や鷲などの人形を用いることによって鳥が天敵に近寄らないことを利用して鳥を威嚇、忌避するものである。また、声や爆音によって鳥を驚かせ、鳥が寄りつかないようにしている。さらに、光や超音波に対しても鳥は脅威を感じて忌避するし、変動磁場によって体内磁石が攪乱され、忌避するものである。
【０００５】
【発明が解決しようとする課題】
しかしながら、これらのうち人形や音によるものは、時間が経つにつれて鳥がその姿や音に慣れてしまい、鳥追い効果が減少するという問題があった。また、超音波や磁気によるものは、広範囲に効果を得るためには装置が比較的大型となり、多大なコストを要するものであった。
【０００６】
このような状況の下、本発明者は鳥が瞬発的な発光に対して敏感で、これを忌避するという性質に着目し、瞬発的な発光によって広範囲に鳥を忌避する装置を安価に提供することを目的としたものである。
【０００７】
【課題を解決するための手段】
上記課題を解決するため本発明は、複数枚の羽根板で風車を形成して支軸に回転自在に支持すると共に、羽根板に瞬発的に光を発する発光体を取り付けるという手段を採用した。
【０００８】
この場合、各羽根板に発光体をそれぞれ取り付けても良く、また、１枚の羽根板に複数個取り付けることもある。
【０００９】
何れの場合も、発光体が回転しながら瞬発的に発光するので、その光を鳥類が忌避してその飛来を防止できるものである。
【００１０】
また、各羽根板にさらに磁石を取り付けるという手段も採用した。
【００１１】
回転する磁石によって異常変動磁場が形成され、この磁場が鳥類の体内磁石を攪乱して忌避するものである。
【００１２】
また、上記支軸を支持杆で首振り回転自在に支承するという手段を採用した。
【００１３】
回転する風車を支持する支軸をさらに支持杆で首振り回転自在に支承するので、支持杆の全周に渡って発光され、広範囲に忌避効果を及ぼすことが可能となるものである。
【００１４】
また、支軸に発電機と制御回路からなる発電部を取り付け、風車の回転で発電して発光体を発光するようにするという手段を採用した。
【００１５】
風力によって自家発電した電力で発光体を瞬発的に発光させるので、省エネルギー化を図ることができ、かつ安価に本装置を提供できる。
【００１６】
【発明の実施の形態】
以下、本発明にかかる鳥類飛来防止装置について好ましい実施の形態を図面に従って説明する。図１は本装置の正面図、図２は側面図である。
【００１７】
各図において、１は耐候性に優れ且つ軽量な合成樹脂からなる複数枚（図では５枚）の羽根板１ａ、１ａ・・・で構成された風車であって、支軸２にベアリングケース３を介して回転自在に支持したものである。この風車１は各羽根板１ａを曲成することで微風によっても容易に回転するように成形されている。４、４・・・は風車１の各羽根板１ａに正面に向かって取り付けた発光体で、例えば高輝度ＬＥＤやストロボ球等からなり、瞬発的に強力で直進的な光を発するようにしたものである。各発光体４は、風車の回転時に同心円を描くように中心からの距離を互いに異なるような位置に取り付けている。この発光体４の瞬発的な発光によって、鳥類の視神経を刺激し、鳥類を寄せ付けない効果が得られる。例えば高輝度ＬＥＤを用いた場合、発光感知距離はおよそ２０〜３０ｍ程度である。また５はこの発光体４に電流を供給するため羽根の曲線形状に従って配線されたフィルム状ケーブルで、各発光体４と下述する発電部７とを接続している。
【００１８】
また、６は各羽根板の先端近くに取り付けた磁石であり、風車の回転によって異常変動磁場を形成するようにしたものである。この磁石によって鳥類はその生物磁石を攪乱され、忌避するのである。
【００１９】
７は支軸２の先端に設けた発電部で、発電機７ａと制御回路７ｂとで構成し、発電機７ａは風車１の回転に従って発電し、各発光体４に電流を供給するものである。そして、制御回路７ｂによって、各発光体４を適宜な間隔で間欠的に且つ同時に発光するようにしたものであるが、この制御回路７ｂの設定によって発光の間隔や各発光体４の相互の発光のタイミングは任意に設定できるようにしている。
【００２０】
８は支持杆で、上記風車１を取り付けた支軸２を縦軸回りに首振り回転自在に支承するものである。そのため本装置は風向きに従って自由に方向を変更できる。この支持杆８を介して大地、屋根、ベランダ等の所望の場所に本装置を設置する。
【００２１】
なお、上記実施形態では風車の羽根板の枚数を５枚とし、支軸の前後２カ所で支持したねじり形状として風を受けるようにしているが、これに限定するものではなく、風を受けて回転するようにした風車状のものであればその形状や枚数を特に限定するものではない。
【００２２】
また、上記実施形態では発光体４を各羽根板１ａに１個ずつ取り付けたものを例示しているが、これに限定するものではなく、１枚の羽根板１ａに複数個（例えば５、６個）の発光体４を取り付けたものであってもよい。この場合も、風車１が回転することによって発光体４は同心円を描くから、鳥類を忌避する効果は上記実施形態と同等である。さらにこの場合、ケーブル５の配線が１枚の羽根板だけでよいから、製作コストの低減を図ることが可能となる。
【００２３】
さらに、上記各実施形態において、発光体４の色彩を例えば白と赤など複数の色彩とし、それらを交互に発光させるようにすれば、鳥類の忌避効果が増大する。そして、この場合に各発光体の発光タイミングを不規則的に発光するようにすれば、鳥類が発光に対して慣れることを防止して、忌避効果が長期に渡って持続する。
【００２４】
【発明の効果】
以上述べたように、本発明にかかる鳥類飛来防止装置は回転する風車の羽根板に間欠的に発光する強力な発光体を取り付けたものであるから、その瞬発的な発光によって鳥類は威嚇と幻惑を感じ、鳥類を確実に忌避できるものである。特に発光体は支軸を中心に同心円状に回転し、さらに支持杆によって首振り回転するので、本装置の周りの全周に渡って瞬発光が発せられ、広範囲に鳥の忌避効果が及ぶという優れた効果が期待できる。
【００２５】
また、各羽根板には磁石を取り付けているので、風車が回転することによって周囲に異常変動磁場を形成し、鳥類の体内磁石を攪乱するから、上記瞬発光による忌避効果と相俟って、複合効果によってより大きな忌避効果が得られることになる。
【００２６】
さらに、発光体は自然の風力により風車の回転によって発電した電流で発光するようにしているので、環境に優しく、且つ省エネルギー化を図ることができるものであり、別途電源を必要とせず、設置場所を選ばない。また、構成が比較的簡単であるので安価であり、耐久性にも優れている。
【図面の簡単な説明】
【図１】本発明にかかる鳥類飛来防止装置の正面図である。
【図２】本装置の側面図である。
【符号の説明】
１    風車
１ａ  羽根板
２    支軸
３    ベアリングケース
４    発光体
５    フィルム状ケーブル
６    磁石
７    発電部
７ａ  発電機
７ｂ  制御回路
８    支持杆
【図１】
0003566919.tif 000002
【図２】
0003566919.tif 000003